(57)【要約】      （修正有）【課題】分娩直後の新生児の頭部に被せて、新生児の体熱放射を予防し、新生児の低体温を防止することができる新生児保温用帽子であって、使い捨てとすることができるように安価に製造し得る新生児保温用帽子を提供する。【解決手段】綿糸等の柔軟な糸で編んだ伸縮性を有する長尺の筒体を所定長さで裁断し、裁断した筒体の一端は絞って固定することにより糸のほつれを防止すると共に帽子１の頂部を形成し、裁断した筒体の他端が内側となるように複層に折り返す（折返部７）ことによって、糸のほつれを防止し、保温効果を増すと共に、帽子の高さを調整するようにした。【選択図】図４
0003131898.tif 000002
【実用新案登録請求の範囲】
【請求項１】
綿糸等の柔軟な糸で編んだ伸縮性を有する長尺の筒体を所定長さで裁断し、裁断した筒体の一端は絞って固定することにより糸のほつれを防止すると共に帽子の頂部を形成し、裁断した筒体の他端が内側となるように複層に折り返すことによって、糸のほつれを防止し、保温効果を増すと共に、帽子の高さを調整するようにしたことを特徴とする新生児保温用帽子。
【請求項２】
裁断した筒体の一端の糸のほつれを防止するために、この一端を絞った状態にして糊つきの紙を巻き付けることによって固定したことを特徴とする請求項１記載の新生児保温用帽子。
【考案の詳細な説明】
【技術分野】
【０００１】
本考案は、分娩直後の新生児の頭部に被せて、新生児の体熱放射を予防し、新生児の低体温を防止することができる新生児保温用帽子に関する。
【背景技術】
【０００２】
新生児は、体重に対する体表面積の比率が大きいため、輻射熱喪失が急速に起こり、十分暖かい部屋にいるときでさえも低体温になり易い。その結果、低血糖等の体調の悪化を引き起こし、最悪の場合は、死亡に至ることもあると云われている。
【０００３】
従って、分娩直後の新生児の体調管理としては、体温を適温に保持することによって、特に低体温を防止することが重要である。それゆえ、体温低下につながる体熱放散を予防するため、通常は産着を着用し、場合によっては湯たんぼ等を用いることもあるが、新生児の体表面積の約２０％を占める頭部の保温を図ることによって低体温を予防することが可能である。
【０００４】
ここで、従来の乳幼児用の帽子の類として、特許文献１に記載された「赤ちゃん頭部保護防具」について説明する。この頭部保護防具は、タオル地内部にウレタン素材または羊毛綿、木綿、合成繊維をいれた物をマジックテープ（登録商標）またはスナップボタン、カギホック、ひもで結ぶことにより調整し、組み合わせることで乳幼児の頭部に被せるものであるが、この保護防具は、乳幼児が転倒した時等に頭部を保護するためのものであって、体温保持のために構成されたものではない。
【０００５】
また、従来から一般的に使用されている乳幼児用の帽子として、縁を折り返したキャップ形状の帽子が使用されているが、外出の際の遮光や危険防止のために構成されたものであって、分娩直後の新生児の頭部に低体温を防止する目的で被せるのに適するものではなかった。
【特許文献１】実開平５−９１７０６号公報
【考案の開示】
【考案が解決しようとする課題】
【０００６】
ところで、分娩直後の新生児は胎脂の影響で被着物が汚れ易い。このため、新生児の頭部に被せる帽子は、衛生管理上、使い捨てとすることが好ましく、安価に製造し得る構造のものが望ましい。この点で、従来から一般的に使用されている乳幼児用の帽子は、遮光や危険防止のために幼児の頭部を保護するものであり、使い捨てとされる構造ではなく、また使い捨てとするほど安価に製造し得るものではなかった。
【０００７】
本考案は、上記の事情に鑑みてなされたもので、分娩直後の新生児の頭部に被せて、新生児の体熱放射を予防し、新生児の低体温を防止することができる新生児保温用帽子であって、使い捨てとすることができるように安価に製造し得る新生児保温用帽子を提供することを目的とする。
【課題を解決するための手段】
【０００８】
上記の目的を達成するために、本考案の請求項１の新生児保温用帽子は、綿糸等の柔軟な糸で編んだ伸縮性を有する長尺の筒体を所定長さで裁断し、裁断した筒体の一端は絞って固定することにより糸のほつれを防止すると共に帽子の頂部を形成し、裁断した筒体の他端が内側となるように複層に折り返すことによって、糸のほつれを防止し、保温効果を増すと共に、帽子の高さを調整するようにしたことを特徴とする。
【０００９】
また、本考案の請求項２の新生児保温用帽子は、請求項１において、裁断した筒体の一端の糸のほつれを防止するために、この一端を絞った状態にして糊つきの紙を巻き付けることによって固定したことを特徴とする。
【考案の効果】
【００１０】
本考案は新生児の頭部に被せることによって体温を保持する新生児保温用帽子であって、新生児の柔らかい頭部を優しく包むことができるように綿糸等の柔軟な糸が用いられ、伸縮性を有する筒体に編んであるため、新生児の頭部の大きさに応じて伸縮させることが可能である。また、この筒体を所定長さで裁断しただけで、帽子本体の製造は概ね完了するという簡易な製造工程で済むものである。
【００１１】
この筒体を帽子の形状にするには、上記のように所定長さで裁断した筒体の一端を絞って固定することにより、糸のほつれを防止すると共に帽子の頂部の湾曲形状を形成し、裁断した筒体の他端が内側となるように複層に折り返すことによって糸のほつれを防止し、保温効果を増すと共に、帽子の高さを調整するようにしたものであって、非常に簡単な構造の帽子を簡易に製造することが可能である。
【００１２】
このような構造による新生児保温用帽子は、伸縮性を有する編み上げ構造であるため、新生児の頭部に適度に密着し、使用中の帽子が脱落しにくくなる。さらに、裁断した筒体の他端が内側となるように複層に折り返し、この折返し部の幅を調整することによって帽子サイズ（帽子の高さ）を簡便に変更することができ、糸のほつれを防止するほか、保温効果の調節をすることも可能となる。
【００１３】
さらに、その製作材料は、綿糸等の糸を編んで所定長さに裁断した筒体と、糸のほつれ防止のための材料だけであって、極めて簡易な材料で製造することが可能となる。また、筒体の糸のほつれを防止する材料として、糊つきの紙を巻き付けるという安価且つ簡単な材料を用いることができ、構造の簡易化及び低コスト化に有益となる。
【考案を実施するための最良の形態】
【００１４】
以下、本考案の実施例について図面を参照しながら説明する。
【実施例１】
【００１５】
本考案による新生児保温用帽子１は、図１〜図４に示すように、綿糸等の柔軟な糸で編んだ伸縮性を有する長尺の筒体２Ａを所定長さで裁断し、裁断した筒体２Ｂの一端３は絞って固定することにより糸のほつれを防止すると共に帽子の頂部を形成し、裁断した筒体２Ｂの他端６が内側となるように複層に折り返すことによって、糸のほつれを防止し、保温効果を増すと共に、帽子１の高さを調整するようにしたものである。
【００１６】
このような新生児保温用帽子１について詳細に説明する。図１（ａ）に示すように、帽子の本体を構成する筒体２Ａの材料としては綿糸等の柔軟な糸を用い、伸縮性を有する編み方で筒体２Ａを形成する。このような筒体２Ａは工場生産の工程において、長尺の筒体２Ａとして形成しておく。
【００１７】
次いで、この長尺の筒体２Ａを長さ調整のための折返部７（図３参照）を考慮した所定長さに裁断する（図１（ａ）において裁断箇所をＣで示す）ことによって、図１(ｂ)に示すように、１個の帽子用の筒体２Ｂを形成する。そして、図２（ａ）に示すように、裁断した筒体２Ｂの一端３は絞ることによって絞り部４が形成され、帽子１の頂部の湾曲形状５が形成される。また、この一端３を固定するために、図２（ａ）(ｂ)に示すように、他端３を絞った状態で糊つきの紙８を巻き付けることによって固定し、糸のほつれを防止するものとする。
【００１８】
一方、図２(ｃ)に示すように、裁断した筒体２Ｂの他端６が内側となるように複層に折り返すことによって筒体２Ｂの糸のほつれを防止すると共に、図３に示すように帽子１の高さＨを調整する。なお、図２(ｃ)は裁断した筒体２Ｂの他端６を一回だけ折り返した状況を示すものであり、他端６が見える状況にあるが、さらに折り返すことによって、図３に示すように他端６は折返部７の内側に入って見えなくなり、糸のほつれを防止することが可能となる。また、このような折り返しの回数或いは折返部７の幅によって帽子１の高さＨを調整し、変更することが可能となる。
【００１９】
このような構造による新生児保温用帽子１は、伸縮性を有する編み上げ構造であるため、図４に示すように新生児の頭部に被せた場合、新生児の頭部の大きさに応じて伸縮することができ、新生児の頭部に適度に密着し、使用中の帽子が脱落しにくくなる。
【００２０】
さらに、新生児の頭部の大きさに応じて、図３に示すように折返し部７の幅や折り返し回数を調整することによって帽子サイズ（帽子の高さＨ）を簡便に変更することができ、糸のほつれを防止するほか、保温効果の調節をすることも可能となる。
【産業上の利用可能性】
【００２１】
本考案の新生児保温用帽子は、使い捨てとすることができるように安価に製造し得る簡単な構造であって、分娩直後の新生児の頭部に被せて、新生児の体熱放射を予防し、新生児の低体温を防止することができる新生児保温用帽子として利用可能である。
【図面の簡単な説明】
【００２２】
【図１】(ａ)は本考案による新生児保温用帽子の材料となる長尺の筒体を示す平面図であり、(ｂ)は長尺の筒体を所定長さで裁断した筒体の平面図である。
【図２】(ａ)は所定長さに裁断した筒体の一端を絞った状態にした平面図であり、(ｂ)はその絞った箇所に糊つきの紙を巻き付けた状態を示す平面図であり、(ｃ)は裁断した筒体の他端を一度だけ折り返した状態を示す平面図である。
【図３】本考案の新生児保温用帽子において、裁断した筒体の他端を複層に折り返した状態を示す平面図である。
【図４】本考案の新生児保温用帽子を新生児の頭部に被せた状況を示す図である。
【符号の説明】
【００２３】
１  新生児保温用帽子
２Ａ  長尺の筒体
２Ｂ  裁断した筒体
３  筒体の一端
４  絞り部
５  帽子の頂部の湾曲形状
６  筒体の他端
７  折返部
８  糊つきの紙
Ｃ  裁断箇所
Ｈ  帽子の高さ
【図１】
0003131898.tif 000003
【図２】
0003131898.tif 000004
【図３】
0003131898.tif 000005
【図４】
0003131898.tif 000006